(57)【特許請求の範囲】
【請求項１】
長尺状の方杖本体と、
前記方杖本体の長手方向の一端側に設けられ、躯体の天井大梁上に配置される壁パネルに離脱可能に接合される壁パネル側支持部と、
前記方杖本体の長手方向の他端側に設けられ、対向して配置された一対の天井大梁間に所定の間隔で配置された複数の小梁に掛け渡される長さとされて該複数の小梁に離脱可能に接合される梁側支持部と、
を有する方杖。
【請求項２】
前記方杖本体と前記梁側支持部とは、着脱可能とされ、
その着脱により、前記壁パネルが配置される天井大梁と前記梁側支持部とが垂直となる第１連結状態と、前記壁パネルが配置される天井大梁と前記梁側支持部とが平行となる第２連結状態と、が変更可能とされている、
請求項１に記載の方杖。
【請求項３】
前記壁パネル側支持部及び前記梁側支持部は、共に、前記方杖本体との連結部において、前記壁パネルが配置される天井大梁と平行な方向を回転軸方向として回転可能とされている、
請求項１又は請求項２に記載の方杖。
【請求項４】
前記方杖本体は、該方杖本体の長さを調整する長さ調整機構を備える、
請求項３に記載の方杖。
【請求項５】
前記壁パネル側支持部は、長尺状とされ、その長手方向が前記壁パネルの上下方向と平行になるように前記壁パネルに接合される、
請求項２を引用する請求項３に記載の方杖。
【発明の詳細な説明】
【技術分野】
【０００１】
本発明は、方杖に関する。
【背景技術】
【０００２】
下記特許文献１には、一端側が桁梁束に接合されると共に他端側が妻小屋梁（大梁）に接合された方杖が開示されている。
【先行技術文献】
【特許文献】
【０００３】
【特許文献１】特開平９−２９１６３６号公報
【発明の概要】
【発明が解決しようとする課題】
【０００４】
ところで、柱と大梁とで箱型に形成された躯体の上部に壁パネルを据付ける際、壁パネルを一時的に自立させるために方杖を用いることが考えられる。この場合、方杖の一端側を壁パネルの中央部に接合すると共に、方杖の他端側を大梁間に設けられた小梁に接合することになる。しかしながら、上記従来の方杖では、小梁の強度が充分でない場合などにおいて、壁パネルを支える安定性に関し改善の余地がある。
【０００５】
本発明は上記事実を考慮し、大梁と該大梁間に設けられた複数の小梁とを備える躯体の上に壁パネルを安定して自立させることができる方杖を得ることを目的とする。
【課題を解決するための手段】
【０００６】
第１の態様に係る方杖は、長尺状の方杖本体と、前記方杖本体の長手方向の一端側に設けられ、躯体の天井大梁上に配置される壁パネルに離脱可能に接合される壁パネル側支持部と、前記方杖本体の長手方向の他端側に設けられ、対向して配置された一対の天井大梁間に所定の間隔で配置された複数の小梁に掛け渡される長さとされて該複数の小梁に離脱可能に接合される梁側支持部と、を有する。
【０００７】
この方杖は、躯体の天井大梁上に配置される壁パネルを支えるために使用される。長尺状の方杖本体の長手方向の一端側に設けられた壁パネル側支持部が壁パネルと離脱可能に接合され、方杖本体の長手方向の他端側に設けられた梁側支持部が躯体の小梁に離脱可能に接合される。これにより、前後方向に倒れようとする壁パネルからの荷重を、方杖本体を介して躯体の小梁で受け止めることができる。
【０００８】
さらに、この方丈では、梁側支持部が、躯体の複数の小梁に掛け渡される長さとされて該複数の小梁に接合される。このため、個々の小梁に充分な強度がない場合であっても、複数の小梁で荷重を受け止めることにより安定して壁パネルを支えることができる。
【０００９】
第２の態様に係る方杖は、第１の態様において、前記方杖本体と前記梁側支持部とは、着脱可能とされ、その着脱により、前記壁パネルが配置される天井大梁と前記梁側支持部とが垂直となる第１連結状態と、前記壁パネルが配置される天井大梁と前記梁側支持部とが平行となる第２連結状態と、が変更可能とされている。
【００１０】
この方杖は、方杖本体と梁側支持部とが着脱可能とされ、その着脱により、第１連結状態と第２連結状態とが変更可能とされている。
【００１１】
このうち、第１連結状態は、梁側支持部が、壁パネルが配置される天井大梁と垂直となる連結状態である。このため、例えば、妻方向に延びる複数の小梁を備える躯体において、妻方向に延びる天井大梁上に壁パネルを配置する場合、梁側支持部が桁方向に平行となる。その結果、複数の小梁と梁側支持部が垂直の関係となるので、梁側支持部を複数の小梁に掛け渡した状態で接合することができる。
他方、第２連結状態は、梁側支持部が、壁パネルが配置される天井大梁と平行となる連結状態である。このため、例えば、妻方向に延びる複数の小梁を備える躯体において、桁方向に延びる天井大梁上に壁パネルを配置する場合、梁側支持部が桁方向に平行となる。その結果、複数の小梁と梁側支持部とが垂直の関係となるので、梁側支持部を複数の小梁に掛け渡した状態で接合することができる。
【００１２】
以上のとおり、この方杖によれば、方杖本体と梁側支持部とを着脱して第１連結状態と第２連結状態を変更することで、妻方向に延びる天井大梁上に配置される壁パネル及び桁方向に延びる天井大梁上に配置される壁パネルのどちらであっても、複数の小梁で安定して支えることができる。
【００１３】
第３の態様に係る方杖は、第１の態様又は第２の態様において、前記壁パネル側支持部及び前記梁側支持部は、共に、前記方杖本体との連結部において、前記壁パネルが配置される天井大梁と平行な方向を回転軸方向として回転可能とされている。
【００１４】
この方杖は、壁パネル側支持部及び前記梁側支持部は、共に、方杖本体との連結部において、壁パネルが配置される天井大梁と平行な方向を回転軸方向として回転可能とされている。このため、例えば、梁側支持部を小梁に接合した後に方杖本体を回転させて壁パネル側支持部を移動させることなどができ、方杖の取付作業が容易になる。
【００１５】
第４の態様に係る方杖は、第３の態様において、前記方杖本体は、該方杖本体の長さを調整する長さ調整機構を備える。
【００１６】
この方杖は、方杖本体がその長さを調整する長さ調整機構を備える。このため、壁パネル側支持部と梁側支持部との間の寸法を調整することができる。その結果、壁パネル支持部を壁パネルに接合すると共に梁側支持部を小梁に接合した後であっても、両者の間の寸法を調整することで支えている壁パネルの傾きを調整することができる。
【００１７】
第５の態様に係る方杖は、第２の態様かつ第３の態様において、前記壁パネル側支持部は、長尺状とされ、その長手方向が前記壁パネルの上下方向と平行になるように前記壁パネルに接合される。
【００１８】
この方杖では、壁パネル側支持部は、長尺状とされ、その長手方向が壁パネルの上下方向と平行になるように壁パネルに接合される。このため、壁パネル側支持部を方杖本体との連結部において回転させることで、壁パネル側支持部と方杖本体とを平行の状態にすることができる。さらに、梁側支持部を方杖本体と第１連結状態で連結すると共に梁側支持部を方杖本体との連結部において回転させることで、梁側支持部と方杖本体とを平行の状態とすることができる。
【００１９】
したがって、方杖を壁パネルの支持に用いていないときには、方杖本体、壁パネル支持部及び梁側支持部を互いに平行の状態にすることができるので、運搬等の取扱いが容易である。
【発明の効果】
【００２０】
以上説明したとおり、本発明は、大梁と該大梁間に設けられた複数の小梁とを備える躯体の上に壁パネルを安定して自立させることができるという優れた効果を有する。
【図面の簡単な説明】
【００２１】
【図１】実施形態の方杖の第１連結状態を示す側面図である。
【図２】図１における壁パネル側支持部を拡大して示し、（Ａ）は拡大側面図であり、（Ｂ）は拡大正面図である。
【図３】図１における方杖本体を拡大して示す拡大側面図である。
【図４】図１における梁側支持部を拡大して示し、（Ａ）は側面図であり、（Ｂ）は平面図である。
【図５】実施形態の方杖の第２連結状態を示す側面図である。
【図６】本実施形態の方杖を用いて躯体の上の壁パネルを支えている様子を示す図である。
【図７】躯体の上に据付けられる壁パネルと屋根パネルとの関係を示す模式図である。
【発明を実施するための形態】
【００２２】
以下、図１〜図７を用いて、本発明に係る方杖の実施形態について説明する。
【００２３】
（躯体）
図６には、本実施形態の方杖１０を用いて壁パネル１２を支えている様子が示されている。この図に示されるように、壁パネル１２は、躯体１４の上に配置される。躯体１４は、四隅に立設された４本の柱１６と、柱１６の上端部同士を連結する４本の天井大梁１８と、柱の下端部同士を連結する図示しない４本の床大梁と、によって略直方体の箱状に形成されている。天井大梁１８は長短２種類の溝形鋼とされており、４本の天井大梁１８のうちの互いに対向する天井大梁１８は同じ長さとされ、互いに対向しない天井大梁１８は異なる長さとされている。以下、長い方の２本の天井大梁１８を天井桁大梁１８Ｋ又は単に桁大梁１８Ｋといい、短い方の２本の天井大梁１８を天井妻大梁１８Ｔ又は単に妻大梁１８Ｔという。また、桁大梁１８Ｋの長手方向を桁方向といい、天井妻大梁１８Ｔの長手方向を妻方向という。
【００２４】
２本の天井桁大梁１８Ｋの間には、天井大梁１８よりも小さな断面寸法とされた複数（本実施形態では４本）の小梁２０が掛け渡されている。複数の小梁２０は、それぞれ天井妻大梁１８Ｔと平行に設けられ、互いに略等間隔に配置されている。
【００２５】
（壁パネル）
この図には、桁大梁１８Ｋ及び妻大梁１８Ｔのそれぞれの上に配置された壁パネル１２Ｋ、１２Ｔが示されている。桁大梁１８Ｋの上に配置された壁パネル１２Ｋ（以下、桁側壁パネル１２Ｋということがある。）は、桁大梁１８Ｋと平行な向きで立てられ、壁パネル１２Ｋの下端が桁大梁１８Ｋにボルト等（図示省略）で締結されている。また、妻大梁１８Ｔの上に配置された壁パネル１２Ｔ（以下、妻側壁パネル１２Ｔということがある。）は、妻大梁１８Ｔと平行な向きで立てられ、壁パネル１２の下端が妻大梁１８Ｔにボルト等（図示省略）で締結されている。
【００２６】
（方杖）
これら壁パネル１２の前後方向の倒れを防止するため、方杖１０が用いられている。方杖１０は、方杖本体としてのアーム２２と、壁パネル側支持部としてのヘッド２４と、梁側支持部としてのレグ２６と、を備えている。このうち、レグ２６は、長尺状の部材であり、その長手方向が桁方向と平行になる向き、すなわち妻方向に延びる小梁２０と垂直になる向きで２本の小梁２０に掛け渡されており、さらに、それぞれの小梁２０に図示しないビス等で接合されている。他方、ヘッド２４は、長尺状の部材であり、その長手方向が躯体上下方向（壁パネル上下方向）に平行となる向きで壁パネル１２に接合されている。アーム２２は、長尺状の部材であり、その長手方向一端側にヘッド２４が連結され、他端側にレグ２６が連結されている。
【００２７】
この図に示された２つの方杖１０は、レグ２６とアーム２２との連結関係が互いに異なっている。具体的には、妻側壁パネル１２Ｔを支えている方杖１０（Ａ）では、躯体平面視で、レグ２６とアーム２２が平行の関係になっている。他方、桁側壁パネル１２Ｋを支えている方杖１０（Ｂ）では、躯体平面視で、レグ２６とアーム２２が垂直の関係になっている。換言すると、方杖１０（Ａ）では、レグ２６の長手方向が、ヘッド２４に接合された妻側壁パネル１２Ｔの幅方向（すなわち、妻大梁１８Ｔの長手方向）に対し垂直になっている。他方、方杖１０（Ｂ）では、レグ２６の長手方向が、ヘッド２４に接合された桁側壁パネル１２Ｋの幅方向（すなわち、桁大梁１８Ｋの長手方向）に対し平行になっている。これにより、妻側壁パネル１２Ｔ及び桁側壁パネル１２Ｋをそれぞれ支える２つの方杖１０の何れにおいても、レグ２６の長手方向は桁方向と平行な向きとされ、小梁２０に対し垂直になる向きで複数の小梁２０に掛け渡されている。
【００２８】
なお、完成状態の住宅において、上述した壁パネル１２と屋根パネル８０との位置関係は、図７に模式的に示される関係となる。方杖１０は、壁パネル１２を据付ける際に一時的に自立させるために使用され、完成状態の住宅においては取外される。
【００２９】
次に、図１〜５を用い、本実施形態の方杖１０について詳細に説明する。
【００３０】
（ヘッド）
図１には、図６において妻側壁パネル１２Ｔを支えている方杖１０が示されている。そして、図２（Ａ）には、ヘッド２４を図１と同じ方向から見た様子が拡大して示されており、図２（Ｂ）には、ヘッド２４を図１における右方から見た様子が拡大して示されている。これらの図に示されるように、ヘッド２４は、断面形状がＬ字状とされた所謂等辺山形鋼（アングル）であり、長尺矩形状とされる共に壁パネル１２と平行な向きで接合されるパネル接合板部２８と、長尺矩形状とされると共にパネル接合板部２８と略９０度の角度を成すアーム連結板部３０と、を備えている。ヘッド２４は、全体としても長尺状とされており、その長手方向が壁パネル１２の上下方向と平行になるように壁パネル１２に接合される。
【００３１】
図２に示されるように、パネル接合板部２８の幅方向の略中央であって、長手方向の略中央には、ボルト挿通孔３２が貫通形成されている。また、パネル接合板部２８には、ボルト挿通孔３２を挟んで、パネル接合板部２８の長手方向に沿って複数（本実施形態では６つ）のビス挿通孔３４が貫通形成されている。具体的には、ビス挿通孔３４は、ボルト挿通孔３２よりもヘッド長手方向一方側（図における上側）に形成された４つの上部ビス挿通孔３４Ｕと、ボルト挿通孔３２よりもヘッド長手方向他方側（図における下側）に大きく間隔を開けて形成された２つの下部ビス挿通孔３４Ｌと、から構成されている。これらボルト挿通孔３２やビス挿通孔３４を利用して、ヘッド２４が壁パネル１２に接合される。
【００３２】
他方、アーム連結板部３０には、ボルト挿通孔３６が貫通形成されており、このボルト挿通孔３６と同軸となるようにウェルドナット３８が溶接で固着されている。このボルト挿通孔３６及びウェルドナット３８にボルト４０を螺合することで、ヘッド２４がアーム２２に連結されている（図１参照）。アーム連結板部３０における、ボルト挿通孔３６及びウェルドナット３８が設けられた位置（ヘッド長手方向の位置）は、パネル接合板部２８のボルト挿通孔３２と下部ビス挿通孔３４との間の位置に対応している。
【００３３】
（アーム）
図３には、アーム２２が拡大して示されている。この図に示されるように、アーム２２は、共に山形鋼とされたヘッド側部材４２及びレグ側部材４４が長さ調整機構としてのターンバックル４６で連結されることで構成されている。ヘッド側部材４２及びレグ側部材４４は、共に、ヘッド２４に接合される壁パネル１２の幅方向（図１及び図３の紙面に直交する方向）を板厚方向とする一般板部４２Ａ、４４Ａと、一般板部４２Ａ、４４Ａと略９０度の角度を成す補強板部４２Ｂ、４４Ｂと、を備えている。ヘッド側部材４２には、一端側に一般板部４２Ａを貫通するボルト挿通孔４８が形成され、他端側にターンバックル４６が接合されている。また、レグ側部材４４には、一端側にターンバックル４６が接合され、他端側に補強板５０が設けられると共に該補強板５０及び一般板部４４Ａを貫通するボルト挿通孔５２が形成されている。このように構成されて、アーム２２は、全体の長さが調整可能とされた長尺状の部材となっている。長さ調整可能な範囲は、例えば、±５０ｍｍ程度とされる。
【００３４】
（レグ）
図４（Ａ）には、レグ２６を図１と同じ方向から見た様子が拡大して示されており、図４（Ｂ）には、レグ２６を図１における上方から見た様子が拡大して示されている。これらの図に示されるように、レグ２６は、等辺山形鋼（アングル）であり、レグ２６が小梁２０に接合された状態で躯体上下方向が板厚方向となる梁接合板部５４と、梁接合板部５４と略９０度の角度を成す第１アーム連結板部５６と、を備えている。
【００３５】
梁接合板部５４には、躯体１４の小梁２０に接合されるためのビス挿通孔５８が貫通形成されている。また、第１アーム連結板部５６には、アーム２２と連結するためのボルト挿通孔６０が形成されると共にボルト挿通孔６０と同軸的となるようにウェルドナット６２が溶接で固着されている。梁接合板部５４のビス挿通孔５８は、梁接合板部５４の幅方向に並んで形成された一対のビス挿通孔５８がレグ長手方向に沿って略等間隔に設けられることで構成されている。
【００３６】
また、レグ２６は、レグ長手方向を板厚方向とする第２アーム連結板部６４を備えている。第２アーム連結板部６４は、略矩形の板状とされ、その一辺が梁接合板部５４と接合されると共に該一辺と隣接する他の一辺が第１アーム連結板部５６に接合されている。これにより、レグ２６をレグ長手方向に視た場合の形状は略矩形状となる。第２アーム連結板部６４には、ボルト挿通孔６６が形成されると共にボルト挿通孔６６と同軸になるようにウェルドナット６８が溶接で固着されている。
【００３７】
レグ２６の第１アーム連結板部５６に設けられたボルト挿通孔６０及びウェルドナット６２と、アーム２２のレグ側部材４４のボルト挿通孔５２とにボルト７０を螺合して、レグ２６とアーム２２とを連結することで、方杖１０は、図１に示される第１連結状態Ａとなる。第１連結状態Ａでは、ヘッド２４、アーム２２及びレグ２６の長手方向は、いずれも紙面と平行となる。また、図６に示されるように第１連結状態Ａとされた方杖１０（Ａ）では、レグ２６の長手方向は、ヘッド２４に接合された壁パネル１２Ｔの幅方向と垂直になる。換言すると、第１連結状態Ａでは、妻側壁パネル１２Ｔが配置された妻大梁１８Ｔとレグ２６とが垂直の関係になる。
【００３８】
他方、レグ２６の第２アーム連結板部６４に設けられたボルト挿通孔６６及びウェルドナット６８と、アーム２２のレグ側部材４４のボルト挿通孔５２とにボルト７２を螺合して、レグ２６とアーム２２とを連結することで、方杖１０は、図５に示される第２連結状態Ｂとなる。第２連結状態Ｂでは、レグ２６の長手方向は、紙面と垂直となる。また、図６に示されるように第２連結状態Ｂとされた方杖１０（Ｂ）では、レグ２６の長手方向は、ヘッド２４に接合された桁側壁パネル１２Ｋの幅方向と平行になる。換言すると、第２連結状態Ｂでは、桁側壁パネル１２Ｋが配置された桁大梁１８Ｋとレグ２６とが平行の関係になる。
【００３９】
＜作用・効果＞
次に、本実施形態の方杖１０の作用及び効果について説明する。
【００４０】
本実施形態の方杖１０は、図６に示されるように、躯体１４の天井大梁１８上に配置される壁パネル１２を支えるために使用される。長尺状のアーム２２の一端側に設けられたヘッド２４が壁パネル１２と接合され、アーム２２の他端側に設けられたレグ２６が躯体１４の小梁２０に接合される。これにより、前後方向に倒れようとする壁パネル１２からの荷重を、アーム２２を介して躯体１４の小梁２０で受け止めることができる。
【００４１】
さらに、本実施形態の方杖１０では、レグ２６が、躯体１４の２本の小梁２０に掛け渡される長さとされて該２本の小梁２０に接合される。このため、個々の小梁２０に充分な強度がない場合であっても、２本の小梁２０で荷重を受け止めることにより安定して壁パネル１２を支えることができる。
【００４２】
また、本実施形態の方杖１０では、アーム２２のレグ側部材４４のボルト挿通孔５２と、レグ２６の第１アーム連結板部５６に設けられたボルト挿通孔６０及びウェルドナット６２と、にボルトを通して締結することで第１連結状態Ａ（図１参照）とされる。他方、アーム２２のレグ側部材４４のボルト挿通孔５２と、レグ２６の第２アーム連結板部６４に設けられたボルト挿通孔６６及びウェルドナット６８と、にボルトを通して締結することで第２連結状態Ｂ（図５参照）とされる。すなわち、アーム２２とレグ２６とが着脱可能とされ、その着脱により、第１連結状態Ａと第２連結状態Ｂとが変更可能とされている。
【００４３】
このうち、第１連結状態Ａは、図１及び図６に示されるように、レグ２６が、壁パネル１２が配置される大梁１８と垂直となる連結状態である。このため、妻方向に延びる複数の小梁２０を備える躯体１４において、妻大梁１８Ｔ上に壁パネル１２を配置する場合、レグ２６が桁方向に平行となる。その結果、複数の小梁２０とレグ２６が垂直の関係となるので、レグ２６を複数の小梁２０に掛け渡した状態で接合することができる。
他方、第２連結状態Ｂは、図５及び図６に示されるように、レグ２６が、壁パネル１２が配置される大梁１８と平行となる連結状態である。このため、妻方向に延びる複数の小梁２０を備える躯体１４において、桁大梁１８Ｋ上に壁パネル１２を配置する場合、レグ２６が桁方向に平行となる。その結果、複数の小梁２０とレグ２６とが垂直の関係となるので、レグ２６を複数の小梁２０に掛け渡した状態で接合することができる。
【００４４】
以上のとおり、本実施形態の方杖１０によれば、アーム２２とレグ２６とを着脱して第１連結状態Ａと第２連結状態Ｂを変更することで、妻大梁１８Ｔ上に配置される妻側壁パネル１２及び桁大梁１８Ｋ上に配置される桁側壁パネル１２のどちらであっても、複数の小梁２０で安定して支えることができる。
【００４５】
また、本実施形態の方杖１０では、図１及び図５に示されるように、ヘッド２４とアーム２２との連結及びアーム２２とレグ２６との連結は、共に、ヘッド２４に接合される壁パネル１２の幅方向（紙面に直交する方向）を軸方向とするボルト４０、７０、７２で行われている。すなわち、ヘッド２４及びレグ２６は、共に、アーム２２との連結部において、壁パネル１２が配置される大梁１８と平行な方向を回転軸方向として回転可能とされている。このため、例えば、レグ２６を小梁２０に接合した後にアーム２２を回転させてヘッド２４を移動させることなどができ、方杖１０の取付作業が容易になる。
【００４６】
また、本実施形態の方杖１０では、アーム２２がその長さを調整するターンバックル４６を備えている。このため、ヘッド２４とレグ２６との間の寸法を調整することができる。その結果、ヘッド２４を壁パネル１２に接合すると共にレグ２６を小梁２０に接合した後であっても、両者（ヘッド２４とレグ２６）の間の寸法を調整することで支えている壁パネル１２の傾きを調整することができる。
【００４７】
また、本実施形態の方杖１０では、ヘッド２４は、長尺状とされ、その長手方向が壁パネル１２の上下方向と平行になるように壁パネル１２に接合される。このため、ヘッド２４をアーム２２との連結部において回転させることで、ヘッド２４とアーム２２とを平行の状態にすることができる。さらに、レグ２６をアーム２２と第１連結状態Ａで連結すると共にレグ２６をアーム２２との連結部において回転させることで、レグ２６とアーム２２とを平行の状態とすることができる。
したがって、方杖１０を壁パネル１２の支持に用いていないときには、アーム２２、ヘッド２４及びレグ２６を互いに平行の状態にすることができるので、運搬等の取扱いが容易である。
【００４８】
〔上記実施形態の補足説明〕
なお、上記実施形態では、梁側支持部としてのレグ２６が２つの小梁２０に掛け渡される長さとされていたが、本発明の梁側支持部はこれに限られず、３つ以上の小梁に架け渡される長さとされていてもよい。また、梁側支持部と小梁、パネル側支持部と壁パネルとの接合は、特に限定されず、ビスやボルト以外の接合方法であってもよい。また、上記実施形態では、アーム２２、ヘッド２４及びレグ２６が共に、断面略Ｌ字状の所謂山形鋼とされていたが、本発明はこれに限られない。
【００４９】
また、上記実施形態では、壁パネル支持部としてのヘッド２４が、長尺状とされ、その長手方向が壁パネル１２の上下方向と平行になるように接合されるものであったが、本発明はこれに限られない。壁パネル支持部が壁パネルと接合される向きは特に限定されず、また、壁パネル支持部が長尺状とされていなくてもよい。
【００５０】
また、上記実施形態では、方杖本体としてのアーム２２が、その長さを調整する長さ調整機構を備えていたが、本発明はこれに限られず、長さ調整機構を備えていなくてもよい。また、上記実施形態では、壁パネル側支持部としてのヘッド２４及び梁側支持部としてのレグ２６は、共に、アーム２２との連結部において、壁パネル１２が配置される大梁１８と平行な方向を回転軸方向として回転可能とされていたが、本発明はこれに限られず、回転可能とされていなくてもよい。
【００５１】
また、上記実施形態では、アーム２２とレグ２６とが着脱可能とされていたが、本発明はこれに限られず、着脱可能とされていなくてもよい。
【符号の説明】
【００５２】
１０   方杖
１２   壁パネル
１４   躯体
１８   天井大梁
２０   小梁
２２   アーム（方杖本体）
２４   ヘッド（パネル側支持部）
２６   レグ（梁側支持部）
４６   ターンバックル（長さ調整機構）
【図１】
0006499025.tif 000002
【図２】
0006499025.tif 000003
【図３】
0006499025.tif 000004
【図４】
0006499025.tif 000005
【図５】
0006499025.tif 000006
【図６】
0006499025.tif 000007
【図７】
0006499025.tif 000008